(57)【要約】【課題】水蒸気の放出が確実、かつ、哺乳びんの出し入れが容易で、冷却時にマチフィルムが哺乳びんの口部に密着して哺乳びん又は袋体が変形することのない加熱消毒用袋体を得る。【解決手段】哺乳びん60を内部に収容した状態で電子レンジで加熱するプラスチックフィルム製の加熱消毒用袋体1。この袋体1は、上面フィルム11と、下面フィルム12と、上面フィルム及び下面フィルムのそれぞれ一端部及び他端部に設けたマチフィルム13,14と、上面フィルム11及びマチフィルム13の一端部に設けた開閉自在なジッパー20とからなる。マチフィルム13には袋体1の高さ方向の中央部より上方に複数の水蒸気放出用開口部16が形成されている。少なくとも一つの開口部16が収容されている哺乳びん60の口部61に対向して位置し、冷却時にマチフィルム13が哺乳びん60の口部61に密着して哺乳びんの内部が負圧になって哺乳びん又は袋体が変形することが未然に防止される。【選択図】図２
2007331776.tif 000002
【特許請求の範囲】
【請求項１】
哺乳びんを内部に収容した状態で電子レンジで加熱するプラスチックフィルム製の加熱消毒用袋体であって、
前記加熱消毒用袋体は、上面フィルムと、下面フィルムと、上面フィルム及び下面フィルムのそれぞれ一端部及び他端部に設けた第１及び第２のマチフィルムと、前記上面フィルム及び前記第１のマチフィルムの一端部に設けた開閉自在なジッパーとからなり、
前記第１のマチフィルムには前記袋体の高さ方向のほぼ中央部又は中央部より上方に複数の水蒸気放出用開口部が形成されていること、
を特徴とする加熱消毒用袋体。
【請求項２】
前記複数の開口部は２５ｍｍ以下の間隔で配置されていることを特徴とする請求項１に記載の加熱消毒用袋体。
【請求項３】
前記複数の開口部はスリット状に形成されていることを特徴とする請求項１又は請求項２に記載の加熱消毒用袋体。
【発明の詳細な説明】
【技術分野】
【０００１】
本発明は、加熱消毒用袋体、特に、哺乳びんを内部に収容した状態で電子レンジで加熱するプラスチックフィルム製の加熱消毒用袋体に関する。
【背景技術】
【０００２】
洗浄済みの哺乳びんを電子レンジを用いて加熱消毒するためのバッグとして、特許文献１に記載のものが知られている。この加熱消毒用バッグは、図５及び図６に示すように、上面フィルム５１の中央部に水蒸気放出用の開口部５２を設け、プラスチックフィルム製のバッグ本体５０の入口側と底部側に巾出し用のマチ部５３，５４を設けて哺乳びん６０を収容できる立体的構造としたものである。なお、図５は使用前の断面図、図６は使用時の断面図である。また、入口側には開閉自在なジッパー５６が設けられている。
【０００３】
この加熱消毒用バッグによれば、確かに、水蒸気の放出が確実で、哺乳びん６０の出し入れが容易な立体形状とすることができる。しかしながら、図６に示すように、哺乳びん６０の口部６１がマチ部５３に密着した状態で冷却されると、哺乳びん６０の内部が負圧となり、哺乳びん６０又はバッグ自体が変形してしまうという不具合を有していた。
【特許文献１】特開２００２−３０１１４１号公報
【発明の開示】
【発明が解決しようとする課題】
【０００４】
そこで、本発明の目的は、水蒸気の放出が確実で、哺乳びんの出し入れが容易であることは勿論、冷却時にマチフィルムが哺乳びんの口部に密着して哺乳びん又は袋体が変形することのない加熱消毒用袋体を提供することにある。
【課題を解決するための手段】
【０００５】
以上の目的を達成するため、本発明は、
哺乳びんを内部に収容した状態で電子レンジで加熱するプラスチックフィルム製の加熱消毒用袋体であって、
前記加熱消毒用袋体は、上面フィルムと、下面フィルムと、上面フィルム及び下面フィルムのそれぞれ一端部及び他端部に設けた第１及び第２のマチフィルムと、前記上面フィルム及び前記第１のマチフィルムの一端部に設けた開閉自在なジッパーとからなり、
前記第１のマチフィルムには前記袋体の高さ方向のほぼ中央部又は中央部より上方に複数の水蒸気放出用開口部が形成されていること、
を特徴とする。
【０００６】
本発明に係る加熱消毒用袋体は、袋体に哺乳びんなどと適量の水を入れて電子レンジで加熱し、沸騰した水蒸気にて哺乳びんなどを消毒する。哺乳びんはその底部側から袋体に挿入して収容する。第１のマチフィルムには複数の水蒸気放出用開口部が形成されているため、少なくとも一つの開口部が収容されている哺乳びんの口部に対向して位置し、冷却時に第１のマチフィルムが哺乳びん口部に密着していても哺乳びんの内部が負圧になることが防止され、哺乳びん又は袋体が変形する不具合が防止される。また、水蒸気放出用開口部が袋体の高さ方向のほぼ中央部又は中央部より上方に形成されているために、袋体からの沸騰した水の吹きこぼれがなく、水蒸気の放出が確実である。しかも、第１及び第２のマチフィルムが設けられているために哺乳びんの出し入れが容易な立体形状とすることができることは勿論である。
【０００７】
本発明に係る加熱消毒用袋体において、前記複数の開口部は２５ｍｍ以下の間隔で配置されていることが好ましい。哺乳びんは本体の外径が４０ｍｍ、口部の外径が３０ｍｍであることが通常であり、開口部が２５ｍｍ以下の間隔を有していれば、少なくとも一つの開口部が一つの哺乳びんの口部に対向して位置することになる。
【０００８】
また、前記複数の開口部はスリット状に形成されていることが好ましい。開口部がスリット状であれば、製造時に“かす”が発生することがない。
【０００９】
なお、本発明において、上面フィルム、下面フィルム、第１及び第２のマチフィルムという用語を用いたが、これらのフィルムは必ずしも独立した別個のフィルムを意味するものではなく、第１又は第２のマチフィルムが上面フィルムや下面フィルムと一体物であってもよい。
【発明を実施するための最良の形態】
【００１０】
以下、本発明に係る加熱消毒用袋体の実施例について、添付図面を参照して説明する。
【００１１】
図１に一実施例である加熱消毒用袋体１を示す。この袋体１は、授乳済みで洗浄した哺乳びん６０や乳首、キャップなどを適量の水とともに内部に収容した状態で（図２参照）、電子レンジで加熱し、沸騰した水蒸気で哺乳びんなどを消毒するプラスチックフィルム製の加熱消毒用袋体である。なお、以下に説明するように、哺乳びん又は袋体１の変形を防止するために、哺乳びんはその底部側から袋体１に挿入して収容することが必要となる。
【００１２】
加熱消毒用袋体１は、上面フィルム１１と、下面フィルム１２と、上面フィルム１１及び下面フィルム１２のそれぞれ一端部及び他端部に設けた第１及び第２のマチフィルム１３，１４と、上面フィルム１１及び第１のマチフィルム１３の一端部に設けた開閉自在なジッパー２０とから構成されている。ジッパー２０は、互いに嵌合／開放自在な凹部２１と凸部２２とからなる従来周知のもので、嵌合及び開放用のスライダ２５が設けられている。
【００１３】
それぞれのフィルム１１〜１４は、各辺部分ａ〜ｄで溶着され、一端部（ジッパー２０部分）のみで開口される袋体１を構成している。第１及び第２のマチフィルム１３，１４は使用前の状態では、図１（Ｂ）に示すように、二つ折り状態に畳まれており、哺乳びん６０を収容する際には、図２に示すように、袋体１が立体形状をなすように開かれる。
【００１４】
この加熱消毒用袋体１は、一端部のジッパー２０を開放するとともに第１及び第２のマチフィルム１３，１４を広げた状態で、２本の哺乳びん６０を収容可能とされている（図３参照）。この収容状態で袋体１に適量の水、好ましくは、３分間程度で沸騰、消毒が終了する約７０ｍｌの水を入れ（水の高さを図２及び図３にラインＬで示す）、ジッパー２０を閉じ、電子レンジに入れて加熱し、沸騰によって発生する水蒸気で哺乳びん６０などを消毒する。なお、１本の哺乳びん６０のみであっても収容して加熱消毒可能である。
【００１５】
ところで、加熱消毒用袋体１には、図３に示すように、第１のマチフィルム１３に袋体１の高さ方向の中央部より上方に複数の水蒸気放出用開口部１６が形成されている。この開口部１６は電子レンジ内での加熱時に水蒸気を袋体１外に放出し、袋体１の破裂を防止するためのものである。
【００１６】
電子レンジによる加熱消毒後は、電子レンジ内で自然冷却し、取り出した袋体１を傾けて開口部１６から排水するか、それとともにジッパー２０を開いて排水し、哺乳びんなどを袋体１から取り出す。
【００１７】
この加熱消毒用袋体１において、第１のマチフィルム１３には複数の水蒸気放出用開口部１６が形成されているため、開口部１６が収容されている哺乳びん６０の口部６１に対向して位置し、冷却時に第１のマチフィルム１３が哺乳びん６０の口部６１に密着しても
開口部１６が空気抜きとなって哺乳びん６０の内部が負圧になることが未然に防止される。従って、負圧による哺乳びん６０又は袋体１の変形が防止される。
【００１８】
また、水蒸気放出用開口部１６が袋体１の高さ方向の中央部より上方に形成されているために水蒸気の放出が確実である。開口部１６の高さ位置は、沸騰した水が開口部１６から吹きこぼれない高さであればよく、ほぼ中央部又は中央部より上方に形成されていることが好ましい。さらに、第１及び第２のマチフィルム１３，１４が設けられているために哺乳びん６０の出し入れが容易な立体形状とすることができる。
【００１９】
通常、哺乳びん６０は本体部の外径が４０ｍｍ、口部６１の外径が３０ｍｍである。従って、開口部１６が２５ｍｍ以下の間隔Ｐに配置されていれば、少なくとも一つの開口部１６が一つの哺乳びん６０の口部６１に対向して位置することになる。
【００２０】
なお、複数の開口部１６は小穴形状にくり抜いた形状のものを示したが、図４（Ａ），（Ｂ）に示すように、螺旋形状やＳ字形状などのスリット状に形成されていてもよい。開口部１６がスリット状であれば、製造時に“かす”が発生することがない。“かす”の捕集作業や捕集手段が不要であることは、製袋工程にとって大きな利点である。また、スリット状開口部１６の両端部はスリットの内側を向くように形成されている。両端部がスリットの外側を向いていると、両端部から裂けやすいが、両端部が内側を向いていれば裂けにくくなる。
【００２１】
（他の実施例）
なお、本発明に係る加熱消毒用袋体は前記実施例に限定するものではなく、その要旨の範囲内で種々に変更できることは勿論である。
【図面の簡単な説明】
【００２２】
【図１】本発明に係る加熱消毒用袋体の一実施例を示し、（Ａ）は平面図、（Ｂ）は断面図である。
【図２】前記加熱消毒用袋体に哺乳びんを収容した状態を示す断面図である。
【図３】前記加熱消毒用袋体に哺乳びんを収容した状態を示す正面図である。
【図４】水蒸気放出用開口部の他の例を示す説明図である。
【図５】従来の加熱消毒用バッグを示す断面図である。
【図６】従来の加熱消毒用バッグに哺乳びんを収容した状態を示す断面図である。
【符号の説明】
【００２３】
１…加熱消毒用袋体
１１…上面フィルム
１２…下面フィルム
１３…第１のマチフィルム
１４…第２のマチフィルム
１６…開口部
２０…ジッパー
６０…哺乳びん
【図１】
2007331776.tif 000003
【図２】
2007331776.tif 000004
【図３】
2007331776.tif 000005
【図４】
2007331776.tif 000006
【図５】
2007331776.tif 000007
【図６】
2007331776.tif 000008